(57)【要約】【課題】  携帯電話を使用して住戸親機を呼出操作でき、更に通話を可能としたインターホンシステムを提供する。【解決手段】 携帯電話と、携帯電話と直接通信する機能を備えた無線ルータと、該無線ルータに接続された住戸親機とを備え、携帯電話はアクセスポイント検索信号を送信（Ｓ１）して通信が可能な無線ルータを検索し、認識したらアクセス権を申請する（Ｓ３）。無線ルータは、アクセス権の申請を受けてアクセス権付与信号を返信すると共に認証コードを要求（Ｓ４）し、携帯電話から認証コードの送信及び呼出信号が送信された（Ｓ６）ら、認証コードに応じて設定されている住戸親機３へ呼出信号を送信（Ｓ８）し、住戸親機から応答信号を受けたら携帯電話と住戸親機との間の通話路を形成（Ｓ９）する。【選択図】  図５
2009232421.tif 000002
【特許請求の範囲】
【請求項１】
公衆通信網を使用して通信及び通話を行うために来訪者が携行する携帯電話と、住戸内に設置されて接近した前記携帯電話と直接通信する機能を備えた無線ルータと、該無線ルータを介して前記携帯電話との間で通話路を形成し、来訪者からの呼び出しに応答可能な住戸親機とを備え、
前記携帯電話は、直接通信が可能な前記無線ルータの所在を検索するアクセスポイント検索信号を送信するアクセスポイント検索部と、所在を確認した前記無線ルータに対してアクセス権を申請するアクセス権申請部と、来訪者ＩＤを送信するＩＤ送信部と、前記住戸親機を呼出操作する呼出操作部と、前記無線ルータからアクセス許可を得たら来訪者ＩＤを送信し、呼出操作を受けて呼出信号を前記無線ルータに送信制御する呼出制御部とを有する一方、
前記無線ルータは、通話を許可するための来訪者ＩＤが登録された来訪者ＩＤ記憶部と、前記アクセスポイント検索信号を受けてその応答信号を生成するアクセスポイント応答部と、前記携帯電話に対して前記住戸親機へのアクセスを許可するアクセス許可信号を送信するアクセス権付与部と、前記携帯電話から受信した来訪者ＩＤを照合するＩＤ照合部と、前記携帯電話と前記住戸親機の通話路を形成制御する通話路形成制御部とを有し、
前記通話路形成制御部は、前記アクセス権付与信号送信後に前記携帯電話から受信した来訪者ＩＤが登録されているＩＤであって、更に呼出信号を受信したら、通話を許可して前記呼出信号を前記住戸親機に送信し、前記住戸親機からその応答信号を受けたら前記携帯電話と前記住戸親機との間の通話路を形成することを特徴とするインターホンシステム。
【請求項２】
前記来訪者ＩＤが、携帯電話固有の携帯電話ＩＤであって、前記携帯電話のＩＤ送信部は前記アクセス権付与信号を受けて自身の携帯電話ＩＤを送信することを特徴とする請求項１に記載のインターホンシステム。
【請求項３】
前記無線ルータは複数の住戸親機が接続されて、前記来訪者ＩＤと前記複数の住戸親機のうちの少なくとも１台とを関連付ける呼出先記憶部を有し、
前記通話路形成制御部は、前記携帯電話から送信される来訪者ＩＤを基に、呼出先記憶部において関連付けられている住戸親機に対して前記呼出信号を送信することを特徴とする請求項１又は２記載のインターホンシステム。
【請求項４】
公衆通信網を使用して通信及び通話を行うために来訪者が携行する携帯電話と、住戸内に設置されて接近した前記携帯電話と直接通信する機能を備えた無線ルータと、該無線ルータを介して前記携帯電話との間で通話路を形成し、来訪者からの呼び出しに応答可能な住戸親機とを備え、
前記携帯電話は、直接通信が可能な前記無線ルータの所在を検索するアクセスポイント検索信号を送信するアクセスポイント検索部と、所在を確認した前記無線ルータに対してアクセス権を申請するアクセス権申請部と、前記住戸親機を呼出操作する呼出操作部と、呼出操作を受けて呼出信号を前記無線ルータに送信制御する呼出制御部とを有する一方、
前記無線ルータは、前記アクセスポイント検索信号を受けてその応答信号を生成するアクセスポイント応答部と、前記携帯電話に前記住戸親機に対するアクセスを許可するアクセス許可信号を送信するアクセス権付与部と、前記携帯電話と前記住戸親機の通話路を形成する通話路形成制御部とを有し、
前記通話路形成制御部は、前記アクセス権付与信号送信後に前記携帯電話から呼出信号を受信したら、当該信号を前記住戸親機に送信し、前記住戸親機からその応答信号を受けたら前記携帯電話と前記住戸親機との間の通話路を形成することを特徴とするインターホンシステム。
【請求項５】
前記携帯電話はカメラを備えると共に、前記住戸親機は映像を出画可能なモニタを備え、
前記携帯電話の前記呼出制御部は、呼出信号の送信に合わせて前記カメラの撮像映像の送信を実施すると共に、前記無線ルータの通話路形成制御部は、受信した映像信号を呼出信号送信先に送信し、前記住戸親機は、受信した映像信号を前記モニタに表示する表示制御部を有するこを特徴とする請求項１乃至４の何れかに記載のインターホンシステム。
【発明の詳細な説明】
【技術分野】
【０００１】
本発明はインターホンシステムに関し、特に携帯電話と通信が可能なインターホンシステムに関する。
【背景技術】
【０００２】
携帯電話との通信を可能とした従来のインターホンシステムとして例えば特許文献１に記載された構成のものがある。この特許文献１では、玄関に設置された玄関子機と住戸内に設置された住戸親機の双方に携帯電話と通信するための通信回路を設け、予め住戸親機と携帯電話と通信させてその情報を記憶しておき、その後携帯電話を携行した来訪者が玄関子機を操作して呼出操作したら、玄関子機と来訪者が携行している携帯電話とが通信して玄関子機が認証データを受信し、予め住戸親機が記憶している情報と一致したら、住戸親機にその情報、具体的に来訪者の氏名等を表示するよう構成されている。
このように、呼び出しに合わせて携帯電話と通信し、その情報を基に来訪者情報を表示させることで、居住者は来訪者の識別を迅速に且つ確実に行うことができた。
【０００３】
【特許文献１】特開２００３−２２４６６３号公報
【発明の開示】
【発明が解決しようとする課題】
【０００４】
上記特許文献１の構成は、来訪者が携行する携帯電話を利用するものの、呼び出しには相変わらず玄関子機が使用され、携帯電話は来訪者を認証するためのＩＤ発信機として利用される程度であった。しかしながら、携帯電話はその名の通り通話する機能を備えているため、この機能も利用すれば玄関子機自体を使用する事なく、また電話番号入力による呼び出しをすることなく、居住者を呼び出して通話することが可能となり、インターホンの構成を簡略化することが可能となる。
【０００５】
そこで、本発明はこのような観点から、携帯電話を使用して住戸親機を呼出操作でき、更に通話を可能としたインターホンシステムを提供することを目的とする。
【課題を解決するための手段】
【０００６】
上記課題を解決する為に、請求項１の発明は、公衆通信網を使用して通信及び通話を行うために来訪者が携行する携帯電話と、住戸内に設置されて接近した携帯電話と直接通信する機能を備えた無線ルータと、該無線ルータを介して携帯電話との間で通話路を形成し、来訪者からの呼び出しに応答可能な住戸親機とを備え、携帯電話は、直接通信が可能な無線ルータの所在を検索するアクセスポイント検索信号を送信するアクセスポイント検索部と、所在を確認した無線ルータに対してアクセス権を申請するアクセス権申請部と、来訪者ＩＤを送信するＩＤ送信部と、住戸親機を呼出操作する呼出操作部と、無線ルータからアクセス許可を得たら来訪者ＩＤを送信し、呼出操作を受けて呼出信号を無線ルータに送信制御する呼出制御部とを有する一方、無線ルータは、通話を許可するための来訪者ＩＤが登録された来訪者ＩＤ記憶部と、アクセスポイント検索信号を受けてその応答信号を生成するアクセスポイント応答部と、携帯電話に対して住戸親機へのアクセスを許可するアクセス許可信号を送信するアクセス権付与部と、携帯電話から受信した来訪者ＩＤを照合するＩＤ照合部と、携帯電話と住戸親機の通話路を形成制御する通話路形成制御部とを有し、通話路形成制御部は、アクセス権付与信号送信後に携帯電話から受信した来訪者ＩＤが登録されているＩＤであって、更に呼出信号を受信したら、通話を許可して呼出信号を住戸親機に送信し、住戸親機からその応答信号を受けたら携帯電話と住戸親機との間の通話路を形成することを特徴とする。
【０００７】
この構成によれば、接近した携帯電話と通信が可能な無線ルータを有するインターホンシステムを備えた住戸に、携帯電話を携行した来訪者が近づくと、携帯電話と無線ルータが通信し、携帯電話を使用して公衆電話回線を使用することなく住戸親機を呼び出すことが可能となる。そして、この呼び出しを認識した来訪者により応答操作されたなら無線ルータを介して通話路が形成されて双方向通話を実施できる。よって、来訪者は、玄関子機を使用することなく玄関先から居住者の呼び出し及び通話を行うことができる。
また、無線ルータには通話を可能とするための来訪者ＩＤが登録されているので、無線ルータと通信が可能な携帯電話であっても、携帯電話から送信されるＩＤ情報により、携帯電話から呼び出しできる来訪者を限定でき、不審者からの呼び出しやいたずらな呼び出しを防止でき、居住者は不愉快な思いをすることがない。
【０００８】
請求項２の発明は、請求項１に記載の発明において、来訪者ＩＤが、携帯電話固有の携帯電話ＩＤであって、携帯電話のＩＤ送信部はアクセス権付与信号を受けて自身の携帯電話ＩＤを送信することを特徴とする。
この構成によれば、来訪者ＩＤが携帯電話固有の携帯電話ＩＤであるため、来訪者は呼出操作する際にＩＤ入力する必要がなく、スムーズな呼出操作を行うことができる。
【０００９】
請求項３の発明は、請求項１又は２に記載の発明において、無線ルータは複数の住戸親機が接続されて、来訪者ＩＤと複数の住戸親機のうちの少なくとも１台とを関連付ける呼出先記憶部を有し、通話路形成制御部は、携帯電話から送信される来訪者ＩＤを基に、呼出先記憶部において関連付けられている住戸親機に対して呼出信号を送信することを特徴とする。
この構成によれば、住戸親機が複数設置されていても来訪者に対して呼出先の住戸親機が決められているので、来訪者は訪問したい居住者を直接呼び出すことができ便利である。
【００１０】
請求項４の発明は、公衆通信網を使用して通信及び通話を行うために来訪者が携行する携帯電話と、住戸内に設置されて接近した携帯電話と直接通信する機能を備えた無線ルータと、該無線ルータを介して携帯電話との間で通話路を形成し、来訪者からの呼び出しに応答可能な住戸親機とを備え、携帯電話は、直接通信が可能な無線ルータの所在を検索するアクセスポイント検索信号を送信するアクセスポイント検索部と、所在を確認した無線ルータに対してアクセス権を申請するアクセス権申請部と、住戸親機を呼出操作する呼出操作部と、呼出操作を受けて呼出信号を無線ルータに送信制御する呼出制御部とを有する一方、無線ルータは、アクセスポイント検索信号を受けてその応答信号を生成するアクセスポイント応答部と、携帯電話に住戸親機に対するアクセスを許可するアクセス許可信号を送信するアクセス権付与部と、携帯電話と住戸親機の通話路を形成する通話路形成制御部とを有し、通話路形成制御部は、アクセス権付与信号送信後に携帯電話から呼出信号を受信したら、当該信号を住戸親機に送信し、住戸親機からその応答信号を受けたら携帯電話と住戸親機との間の通話路を形成することを特徴とする。
【００１１】
この構成によれば、接近した携帯電話と通信が可能な無線ルータを有するインターホンシステムを備えた住戸に、携帯電話を携行した来訪者が近づくと、携帯電話と無線ルータが通信し、携帯電話を使用して公衆電話回線を使用することなく住戸親機を呼び出すことが可能となる。そして、この呼び出しを認識した来訪者により応答操作されたなら無線ルータを介して通話路が形成されて双方向通話を実施できる。よって、来訪者は、玄関子機を使用することなく玄関先から居住者の呼び出し及び通話を行うことができる。
【００１２】
請求項５の発明は、請求項１乃至４の何れかに記載の発明において、携帯電話はカメラを備えると共に、住戸親機は映像を出画可能なモニタを備え、携帯電話の呼出制御部は、呼出信号の送信に合わせてカメラの撮像映像の送信を実施すると共に、無線ルータの通話路形成制御部は、受信した映像信号を呼出信号送信先に送信し、住戸親機は、受信した映像信号をモニタに表示する表示制御部を有するとこを特徴とする。
この構成によれば、携帯電話を使用して呼出操作した来訪者に対して、応答している居住者が携帯電話カメラを使用して来訪者自身を撮影するよう促せば、従来のカメラ付き玄関子機の場合と同様に住戸親機で来訪者映像を確認できる。よって、カメラを活用でき来訪者の確認に有効である。
【発明の効果】
【００１３】
本発明によれば、接近した携帯電話と通信が可能な無線ルータを有するインターホンシステムを備えた住戸に、携帯電話を携行した来訪者が近づくと、携帯電話と無線ルータが通信し、携帯電話を使用して公衆電話回線を使用することなく住戸親機を呼び出すことが可能となる。そして、この呼び出しを認識した来訪者により応答操作されたなら無線ルータを介して通話路が形成されて双方向通話を実施できる。よって、来訪者は、玄関子機を使用することなく玄関先から居住者の呼び出し及び通話を行うことができる。
【発明を実施するための最良の形態】
【００１４】
以下、本発明を具体化した実施の形態を、図面に基づいて詳細に説明する。図１は、本発明に係るインターホンシステムの一例を示す構成図であり、１は来訪者が携行する携帯電話、２は携帯電話１と直接通信を行う機能を備え、住戸内の玄関近傍に設置された無線ルータ、３（３ａ，３ｂ）は来訪者からの呼び出し対して応答するために居室内に設置された住戸親機であり、無線ルータ２と住戸親機３とはＬＡＮ等の通信線で接続されている。
【００１５】
〈第１実施形態〉
図２は携帯電話１の回路ブロック図を示している。図２に示すように、アンテナ１０ａを備えて図示しない公衆電話回線に無線接続可能であると共に、無線ルータ２と直接無線通信するためのインターフェース（無線通信ＩＦ）１０、携帯電話１が通信可能なアクセスポイントを検索するアクセスポイント検索部１２、近くに通信可能な無線ルータ２が有り、更に住戸親機３の呼び出しが可能である場合にそれを通知する呼出可能通知部１３、カメラ１４、無線ルータ２に対してアクセス権を申請するアクセス権申請部１５、認証コード（来訪者ＩＤ）が入力可能であることを表示する認証コード入力通知部１６、呼出操作や認証コード入力等各種操作を行う操作部１７、携帯電話全体を制御する携帯電話制御部１８等を備えている。
【００１６】
図３は無線ルータ２の回路ブロック図を示している。図３に示すように、携帯電話１と無線通信するためのアンテナ２０ａを備えたインターフェース（無線通信ＩＦ）２０、住戸親機３と通信するためのインターフェース（ルータＩＦ）２１、来訪者の携帯電話１毎に受信した呼出信号の送信先住戸親機３を選択するための呼出先記憶部２２、携帯電話１から送信されたアクセスポイント検索信号に対して応答信号を生成するアクセスポイント応答部２３、携帯電話１に対してアクセス権を付与するアクセス権付与部２４、携帯電話１からの住戸親機３の呼び出しを許可するための認証コード記憶部２５、携帯電話１から送信された認証コードを判別する認証コード判別部２６、通話路の形成を始め無線ルータ２全体を制御する無線ルータ制御部２７等を備えている。
【００１７】
図４は住戸親機３の回路ブロック図を示している。図４に示すように、無線ルータ２と通信するためのインターフェース（親機ＩＦ）３０、呼び出しを報知する呼出報知部３１、携帯電話１のカメラ１４の撮像映像を表示する映像表示部３２、無線ルータ２の呼出先記憶部２２の呼出先データを設定／変更するための呼出先設定部３３、呼出先設定内容を表示する呼出先設定表示部３４、無線ルータ２の認証コード記憶部２５の認証コードデータを設定／変更する認証コード設定部３５、認証コード設定内容を表示する認証コード表示部３６、呼び出しに応答するための通話ボタン３７、住戸親機３全体を制御する住戸親機制御部３８を備えている。
【００１８】
このように構成されたインターホンシステムの呼出／応答動作は以下のようである。図５は呼出／応答動作の流れを示すフローチャートを示し、このフローに基づいて説明する。携帯電話１のアクセスポイント検索部１２は常時能動状態にあり、アクセスポイント検索信号を無線通信ＩＦ（のアンテナ１０ａ）から発信し（Ｓ１）、直接通信が可能なアクセスポイントを検索している。
この携帯電話１を携行した来訪者が、無線ルータ２が設置された住戸玄関に近づくと、アクセスポイント検索信号が無線ルータ２の無線通信ＩＦ２０（のアンテナ２０ａ）で受信されて、無線ルータ制御部２７で認識される。このアクセスポイント検索信号の受信を受けて、アクセスポイント応答部２３から応答信号が生成され、無線通信ＩＦ２０から返信される（Ｓ２）。
【００１９】
携帯電話制御部１８は、無線通信ＩＦ１０を介してアクセスポイント検索応答信号を受信すると、アクセス権申請部１５によりアクセス権申請信号が生成され、無線通信ＩＦ１０から送信（Ｓ３）される。無線通信ＩＦ２０でこのアクセス権申請信号を受信した無線ルータ制御部２７は、アクセス権付与部２４によりアクセス権付与信号を生成し、無線通信ＩＦ２０から返信すると共に、認証コード要求信号を合わせて返信する（Ｓ４）。
【００２０】
携帯電話制御部１８は、無線通信ＩＦからアクセス権付与信号を受信したら、現在この無線ルータ２と通信が可能であることを認識し、認証コード入力通知部１６を能動として認証コードの入力を促す表示を行うと共に、呼出可能通知部１３を能動として居住者を呼出可能であることを表示する（Ｓ５）。具体的に、携帯電話１のＬＣＤ画面に認証コード表示枠と呼出ボタンアイコンが表示される。この表示により、来訪者は認証コードを入力すれば呼び出しできることを認識できる。
【００２１】
この表示を受けて、訪問者は操作部１７を操作して予め居住者との間で決められ、無線ルータ２に記憶されている認証コードを入力し、操作部１７の呼出ボタンを操作する（Ｓ６）。この操作を受けて、携帯電話制御部１８は、無線通信ＩＦ１０を介して認証コードと呼出信号を送信する。また携帯電話制御部１８は、カメラ１４を起動して無線通信ＩＦ１０を介してカメラ１４が撮像している映像信号を送信する。
【００２２】
無線ルータ制御部２７は、無線通信ＩＦ２０を介して認証コード、呼出信号、更に映像信号を受信すると、まず、認証コード判別部２６が認証コード記憶部２５の認証コードと受信した認証コードを比較し（Ｓ７）、受信した認証コードが記憶された認証コードと一致したら、次に認証コードに関連付けて記憶されている呼出先住戸親機３の情報を呼出先記憶部２２より取得し、呼出信号と映像信号をルータＩＦ２１を介して指定された住戸親機３へ送信する（Ｓ８）。この呼出動作により、例えば住戸親機３ａ，３ｂのうち、一方の住戸親機３ａが受信した認証コードに関連づけられている場合は、この一方の住戸親機３ａに呼出信号及び映像信号が送信される。尚、受信した認証コードに一致する認証コードが認証コード記憶部２５に登録されていなければ、通信を終了し無線ルータは待ち受け状態に戻る。
【００２３】
呼出信号を受信した住戸親機３の住戸親機制御部３８は、親機ＩＦ３０を介して呼出信号と映像信号を受信すると、呼出報知部３１から呼出音を鳴動させ、映像表示部３２にカメラ１４の撮像映像を表示させる。そして、この呼び出し動作を認識した居住者により住戸親機３の通話ボタン３７が操作されると、無線ルータ２を介して呼出操作した携帯電話１と住戸親機３の間で通話路が形成され（Ｓ９）、来訪者と居住者の間で通話が可能となる。こうして、居住者は映像表示部３２に表示されているカメラ１４の撮像映像を見ながら応答できる。
尚、この時、居住者が応答する中で、来訪者に対してカメラ１４を来訪者の顔を撮像するように促せば、来訪者の顔映像を映像表示部３２に表示させることができ、来訪者を判別し易くなる。
【００２４】
その後、通話が終了して所定の終話操作が住戸親機３或いは携帯電話１において成される（Ｓ１０）と、無線ルータ制御部２７はそれを検出して形成した通話路を遮断して待ち受け状態に戻る。
【００２５】
このように、接近した携帯電話と通信が可能な無線ルータを有するインターホンシステムを備えた住戸に、携帯電話を携行した来訪者が近づくと、携帯電話と無線ルータが通信し、携帯電話を使用して公衆電話回線を使用することなく住戸親機を呼び出すことが可能となる。そして、この呼び出しを認識した来訪者により応答操作されたなら無線ルータを介して通話路が形成されて双方向通話を実施できる。よって、来訪者は、玄関子機を使用することなく玄関先から居住者の呼び出し及び通話を行うことができる。
また、無線ルータには来訪者の認証コードが登録されているので、無線ルータと通信が可能な携帯電話であっても、携帯電話から送信されるＩＤ情報により、携帯電話から呼び出しできる来訪者を限定でき、不審者からの呼び出しやいたずらな呼び出しを防止でき、居住者は不愉快な思いをすることがない。
更に、住戸親機が複数設置されていても来訪者に対して呼出先の住戸親機が決められているので、来訪者は訪問したい居住者を直接呼び出すことができ便利であるし、携帯電話を使用して呼出操作が行われても、携帯電話カメラを使用して来訪者自身を撮影させれば、従来のカメラ付き玄関子機の場合と同様に住戸親機で来訪者映像を確認でき、カメラを活用できる。
【００２６】
尚、無線ルータ２での来訪者の認証に使用される認証コード記憶部２５の情報の入力や変更は住戸親機３の認証コード設定部３５で実施できるし、来訪者に応じて呼出先を指定する呼出先記憶部２２の呼出先の設定や変更は、住戸親機３の呼出先設定部３３で実施できる。
また、認証コードを設定する際に、来訪者毎に異なる認証コードを設定して来訪者名と合わせて記憶させれば、呼出信号を受信した時点で認証コード情報を利用して住戸親機３の認証コード表示部３６等に来訪者情報を表示させることが可能であり、応答する前に来訪者を判別することが可能となる。
【００２７】
認証コードの変更操作を具体的に説明すると、認証コード設定部３５が所定の変更操作されると、住戸親機制御部３８により、親機ＩＦ３０を介して認証コード情報要求が無線ルータ２に対して行われる。無線ルータ２は、認証コード情報要求をルータＩＦ２１を介して受信すると、無線ルータ制御部２７の制御により、認証コード記憶部２５から認証コード情報を取り出し、ルータＩＦ２１を介して住戸親機３に送信する。
住戸親機制御部３８は、認証コード情報を受信すると認証コード情報表示部３６に表示する。この表示を確認した住居人により、認証コード設定部３５が操作されて認証コードの変更が成されると、認証コード情報要求と同じ経路で、無線ルータ制御部２７に伝送され、変更した認証コードが認証コード記憶部２５に記憶され、認証コードが変更される。この操作の流れは、呼出先記憶部２２の変更も同様である。
【００２８】
〈第２実施形態〉
図６，７，８は本発明に係るインターホンシステムの第２実施形態を示す回路ブロック図であり、以下第２実施形態を説明する。
図６は携帯電話、図７は無線ルータ、図８は住戸親機であり、インターホンシステム全体の構成は上記図１と同様であるため、説明を省略する。また、上記第１実施形態と同一の構成要素には同一の符号を付与して説明を省略する。上記第１実施形態は、認証コード（来訪者ＩＤ）を設定して、来訪者に対して認証コードの入力を要求するものであったが、ここでは来訪者ＩＤを携帯電話毎に設定されている携帯電話ＩＤとしている。
【００２９】
具体的に、携帯電話１は図６に示すように、無線通信ＩＦ１０、アクセスポイント検索部１２、呼出可能通知部１３、カメラ１４、アクセス権申請部１５、操作部１７、携帯電話全体を制御する携帯電話制御部１８等を備えている。また無線ルータ２は図７に示すように、無線通信ＩＦ２０、ルータＩＦ２１、呼出先記憶部２２、アクセスポイント応答部２３、アクセス権付与部２４、無線ルータ制御部２７に加えて、携帯電話１による住戸親機３の呼び出しを許可するための携帯電話ＩＤ記憶部４１、携帯電話１から送信された携帯電話ＩＤを判別する携帯電話ＩＤ判別部４２等を備えている。
また、住戸親機３は図８に示すように、親機ＩＦ３０、呼出報知部３１、映像表示部３２、呼出先設定部３３、呼出先設定表示部３４、呼び出しに応答するための通話ボタン３７、住戸親機３全体を制御する住戸親機制御部３８に加えて、無線ルータ２の携帯電話ＩＤ記憶部４１のデータを設定／変更する携帯電話ＩＤ設定部４４、携帯電話ＩＤ設定内容を表示する携帯電話ＩＤ表示部４５等を備えている。
【００３０】
このように構成されたインターホンシステムの呼出／応答動作は以下のようである。図９は呼出／応答動作の流れを示すフローチャートを示し、このフローに基づいて説明する。携帯電話１のアクセスポイント検索部１２は常時能動状態にあり、アクセスポイント検索信号を無線通信ＩＦ１０から発信し（Ｓ１１）、直接通信が可能なアクセスポイントを検索している。
この携帯電話１を携行した来訪者が、無線ルータ２が設置された住戸玄関に近づくと、アクセスポイント検索信号が無線ルータ２の無線通信ＩＦ２０で受信されて、無線ルータ制御部２７で認識される。このアクセスポイント検索信号の受信を受けて、アクセスポイント応答部２３から応答信号が生成され、無線通信ＩＦ２０から返信される（Ｓ１２）。
【００３１】
携帯電話制御部１８は、無線通信ＩＦ１０を介してアクセスポイント検索応答信号を受信すると、アクセス権申請部１５によりアクセス権申請信号が生成され、無線通信ＩＦ１０から送信（Ｓ１３）される。無線通信ＩＦ２０でこのアクセス権申請信号を受信した無線ルータ制御部２７は、アクセス権付与部２４によりアクセス権付与信号を生成し、無線通信ＩＦ２０から返信する（Ｓ１４）。
【００３２】
携帯電話制御部１８は、無線通信ＩＦ１０を介してアクセス権付与信号を受信することで、現在この無線ルータと通信が可能であることを認識し、自身の携帯電話ＩＤを無線通信ＩＦ１０から無線ルータ２に送信する（Ｓ１５）。
【００３３】
無線ルータ制御部２７は、無線通信ＩＦ２０を介して携帯電話ＩＤを受信すると、受信した携帯電話ＩＤを携帯電話ＩＤ判別部４２で、携帯電話ＩＤ記憶部４１に予め登録されたデータと比較し（Ｓ１６）、受信した携帯電話ＩＤが登録されていれば、照合完了信号を返信する。尚、受信した携帯電話ＩＤが携帯電話ＩＤ記憶部４１に登録されていない場合は、通信を終了し無線ルータ２は待ち受け状態に戻り、携帯電話との通信を終了する。
携帯電話１の携帯電話制御部１８は、この照合完了信号を受けて呼出可能通知部１３を能動として居住者を呼出可能であることを表示する（Ｓ１７）。
【００３４】
この表示を受けて、訪問者は操作部１７の所定の呼出ボタンを操作（Ｓ１８）する。携帯電話制御部１８は、この操作を受けて呼出信号を送信すると共に、カメラ１４を起動して撮像映像信号を無線通信ＩＦ１０から送信する。
無線ルータ制御部２７は、無線通信ＩＦ２０を介して、呼出信号、映像信号を受信したら、認証した携帯電話ＩＤに関連付けられてた呼出先住戸親機３を呼出先記憶部２２より取得し、呼出信号と映像信号をルータＩＦ２１を介して指定された住戸親機３へ送信する（Ｓ１９）。
【００３５】
親機ＩＦ３０を介して呼出信号と映像信号を受信した住戸親機３は、住戸親機制御部３８の制御で、呼出報知部３１から呼出音を鳴動させ、映像表示部３２に映像を表示させる。そして、この呼び出し動作を認識した居住者により、住戸親機３の通話ボタン３７が操作されると、無線ルータ２を介して呼出操作した携帯電話１と住戸親機３の間で通話路が形成され（Ｓ２０）、来訪者と居住者の間で通話が可能となる。こうして、居住者は映像表示部３２に表示されているカメラ１４の撮像映像を見ながら応答できる。
その後、通話が終了して所定の終話操作が住戸親機３或いは携帯電話１において成される（Ｓ２１）と、無線ルータ制御部２７はそれを検出して、形成した通話路を遮断して待ち受け状態に戻る。
【００３６】
このような構成により、接近した携帯電話と通信が可能な無線ルータを有するインターホンシステムを備えた住戸に、携帯電話を携行した来訪者が近づくと、携帯電話と無線ルータが通信し、携帯電話を使用して公衆電話回線を使用することなく住戸親機を呼び出すことが可能となる。そして、この呼び出しを認識した来訪者により応答操作されたなら無線ルータを介して通話路が形成されて双方向通話を実施できる。よって、来訪者は、玄関子機を使用することなく玄関先から居住者の呼び出し及び通話を行うことができる。
また、無線ルータには来訪者の携行する携帯電話固有の携帯電話ＩＤが登録され、無線ルータと通信が可能な携帯電話であっても、携帯電話から送信される携帯電話ＩＤ情報により、携帯電話から呼び出しできる来訪者を限定できる。よって、不審者からの呼び出しやいたずらな呼び出しを防止でき、居住者は不愉快な思いをすることがない。
更に、来訪者は呼出操作する際にＩＤ入力する必要がなく、スムーズな呼出操作を行うことができる。
また、住戸親機が複数設置されていても来訪者に対して呼出先の住戸親機が決められているので、来訪者は訪問したい居住者を直接呼び出すことができ便利であるし、携帯電話を使用して呼出操作が行われても、携帯電話カメラを使用して来訪者自身を撮影させれば、従来のカメラ付き玄関子機の場合と同様に住戸親機で来訪者映像を確認でき、カメラを活用できる。
【００３７】
尚、上記実施形態は何れも、呼出操作が可能な携帯電話１を制限しているが、単純に無線ルータ２と通信が可能な携帯電話１であれば、住戸親機３を呼出可能としても良い。図１０はこの場合の動作フローを示している。このような動作とした場合、各機器の構成を簡略化でき、例えば上記第１実施形態の各機器構成で見てみると、図２の携帯電話１では認証コード入力通知部１６が必要無いし、図３の無線ルータ２では認証コード記憶部２５、認証コード判別部２６が必要無くなる。更に図４の住戸親機３では認証コード設定部３５、認証コード表示部３６が必要なくなる。
また、上記何れの実施形態も携帯電話１のカメラ１４を動作させて、呼び出しに合わせて映像を送信させているが、カメラ１４は起動させなくても良い。
【図面の簡単な説明】
【００３８】
【図１】本発明に係るインターホンシステムの実施形態を示す構成図である。
【図２】第１実施形態の携帯電話の回路ブロック図である。
【図３】第１実施形態の無線ルータの回路ブロック図である。
【図４】第１実施形態の住戸親機の回路ブロック図である。
【図５】第１実施形態の呼出／応答動作の流れを示すフローチャートである。
【図６】第２実施形態の携帯電話の回路ブロック図である。
【図７】第２実施形態の無線ルータの回路ブロック図である。
【図８】第２実施形態の住戸親機の回路ブロック図である。
【図９】第２実施形態の呼出／応答動作の流れを示すフローチャートである。
【図１０】本発明の他の例を示し、呼出／応答動作の流れを示すフローチャートである。
【符号の説明】
【００３９】
１・・携帯電話、２・・無線ルータ、３（３ａ，３ｂ）・・住戸親機、１２・・アクセスポイント検索部、１３・・呼出可能通知部、１４・・カメラ、１５・・アクセス権申請部、１７・・操作部（呼出操作部）、１８・・携帯電話制御部（ＩＤ送信部、呼出制御部）、２２・・呼出先記憶部、２３・・アクセスポイント応答部、２４・・アクセス権付与部、２５・・認証コード記憶部（来訪者ＩＤ記憶部、）、２６・・認証コード判定部（ＩＤ照合部）、２７・・無線ルータ制御部（通話路形成制御部）、３２・・映像表示部（モニタ）、３７・・通話ボタン、３８・・住戸親機制御部（表示制御部）、４１・・携帯電話ＩＤ記憶部、４２・・携帯電話ＩＤ判別部。
【図１】
2009232421.tif 000003
【図２】
2009232421.tif 000004
【図３】
2009232421.tif 000005
【図４】
2009232421.tif 000006
【図５】
2009232421.tif 000007
【図６】
2009232421.tif 000008
【図７】
2009232421.tif 000009
【図８】
2009232421.tif 000010
【図９】
2009232421.tif 000011
【図１０】
2009232421.tif 000012